(57)【要約】【課題】  収容物を出し入れする開口部を開閉するためのファスナーを閉めたときに収容物が挟まれることを防止した鞄を提供する。【課題手段】  鞄１は、本体２の上面を大きく開口して開口部７となし、この開口部７を閉塞、開放するためにファスナー９で三周縁を開閉し、一縁は本体２に縫着した蓋８を備え、開口部７の下側にはファスナー９部分を下から覆うのに十分な大きさを有する内蓋１０を、その一縁において本体２に縫着する一方、開口部７の上側にはファスナー部分９を上から覆うのに十分な大きさを有する外蓋１１を、その一縁において本体２に縫着し、この外蓋１１の残り三周縁を、面ファスナー１２ａ，１２ｂを介して本体２に係脱可能とする。【選択図】    図３
0003105525.tif 000002
【実用新案登録請求の範囲】
【請求項１】
本体にファスナーによって開閉する開口部を備えた鞄であって、前記開口部の下側には前記ファスナー部分を下から覆うのに十分な大きさを有する内蓋を、その一縁において前記本体に固着する一方、前記開口部の上側には前記ファスナー部分を上から覆うのに十分な大きさを有する外蓋を、その一縁において前記本体に固着し、この外蓋の少なくとも前記一縁と反対側の縁部を、係止部材を介して前記本体に係脱可能に構成したことを特徴とする鞄。
【請求項２】
本体の上面を大きく開口して開口部となし、この開口部を閉塞、開放するためにファスナーで三周縁を開閉し、一縁は前記本体に固着した蓋を備えた鞄であって、前記蓋の下側には前記ファスナー部分を下から覆うのに十分な大きさを有する内蓋を、その三縁は自由状態とし、一縁において前記本体に固着する一方、前記蓋の上側には前記ファスナー部分を上から覆うのに十分な大きさを有する外蓋を、その一縁において前記本体に固着し、この外蓋の三縁は、係止部材を介して前記本体に係脱可能に構成したことを特徴とする鞄。
【考案の詳細な説明】
【技術分野】
【０００１】
本考案は、鞄に関し、特に、収容物の出し入れをする開口部の開閉をファスナーで行う鞄に関する。
【背景技術】
【０００２】
従来の、本体に設けた開口部をファスナーで開閉するよう構成した鞄は、前記ファスナーが本体の収容空間にそのまま露出している。
【特許文献１】特開平３−１１８００２号公報
【考案の開示】
【考案が解決しようとする課題】
【０００３】
このため、従来においては、衣類等の収容物を収容した際に、収容物の量が多いと詰め込んだ収容物の上位にあるものが、ファスナーを閉めたときに挟まれてしまい、ファスナーの開閉が困難になる一方、挟まった収容物を外そうとすると、収容物が破れてしまうなどの不都合を生じている。本考案は、このような不都合を解消した、開口部の開閉をファスナーで行う鞄を提供することを目的とする。
【課題を解決するための手段】
【０００４】
この目的を達成するため、本考案の請求項１に係る鞄は、本体にファスナーによって開閉する開口部を備えた鞄であって、前記開口部の下側には前記ファスナー部分を下から覆うのに十分な大きさを有する内蓋を、その一縁において前記本体に固着する一方、前記開口部の上側には前記ファスナー部分を上から覆うのに十分な大きさを有する外蓋を、その一縁において前記本体に固着し、この外蓋の少なくとも前記一縁と反対側の縁部を、係止部材を介して前記本体に係脱可能に構成したものである。
【０００５】
同じく上述の目的を達成するため、本考案の請求項２に係る鞄は、本体の上面を大きく開口して開口部となし、この開口部を閉塞、開放するためにファスナーで三周縁を開閉し、一縁は前記本体に固着した蓋を備えた鞄であって、前記蓋の下側には前記ファスナー部分を下から覆うのに十分な大きさを有する内蓋を、その三縁は自由状態とし、一縁において前記本体に固着する一方、前記蓋の上側には前記ファスナー部分を上から覆うのに十分な大きさを有する外蓋を、その一縁において前記本体に固着し、この外蓋の三縁は、係止部材を介して前記本体に係脱可能に構成したものである。
【考案の効果】
【０００６】
本考案によれば、内蓋で収容物の上面を覆うことにより、収容物がファスナーに接触して挟み込まれることを防ぐことができ、また、外蓋で雨などの水分や粉塵の侵入を確実に防ぐことができるという効果を奏する。
【考案を実施するための最良の形態】
【０００７】
以下、本考案の好適な実施形態を添付図面の図１〜図４に基づいて詳細に説明する。ここにおいて、図１は鞄の開口部を閉塞し外蓋を閉めた状態の斜視図、図２は鞄の開口部を閉塞し外蓋を開いた状態の斜視図、図３は鞄の開口部を開放し内蓋を閉じた状態の斜視面、図４は鞄の開口部を開放し内蓋を開いた状態の斜視図である。
【０００８】
図１に示すように、鞄１は、内部が中空で衣類などの適宜な収容物（図示せず）を収容する収容部となった中空直方体状の本体２を有し、本体２の上部には一対の取っ手３ａ，３ｂと係脱可能な肩掛け４を設けている。前記一対の取っ手３ａ，３ｂは、公知の面ファスナー（図示せず）を各一端に設けた結束ベルト５で、一つにまとめることができる。また、本体２の一側部には、補助収納部６を設けている。
【０００９】
図３及び図４に示すように、本体２の上面は大きく開口して、衣類などの適宜な収容物を出し入れする開口部７とし、この開口部７に対応して一縁を前記本体２に縫着した蓋８を設け、この蓋８の自由状態にある三周縁と前記開口部７の対応する三周縁に沿って、前記開口部７を前記蓋８で閉塞し、あるいはこれを開放するために一対のエレメント９ａ，９ｂ，とスライダー９ｃからなる公知のファスナー９を設けている。
【００１０】
蓋８の下側にはファスナー９部分を下から覆うのに十分な大きさ、換言すると開口部７よりも一回り大きな大きさを有する内蓋１０を、前記ファスナー９部分に対応する三縁は自由状態とし、蓋８の縫着縁と同一側の一縁において本体２に縫着している。
【００１１】
さらに、蓋８の上側にはファスナー９部分を上から覆うのに十分な大きさ、換言すると開口部７よりも一回り大きな大きさを有する外蓋１１を、前記ファスナー９部分に対応する三縁は自由状態とし、前記蓋８及び内蓋１０の縫着縁と同一側の一縁において本体２に縫着している。この外蓋は、公知の防水加工を施している。
【００１２】
図２に示すように、外蓋１１の自由状態にある三縁は、係止部材である雌雄対となった面ファスナー１２ａ，１２ｂを、前記外蓋１１と本体２に互いに対接するよう相対的に設けることによって、前記本体２に対して係脱可能である。
【００１３】
本考案は以上のように構成したので、図４に示すように、ファスナー９を開いて開口部７を開口し、３枚の蓋８，１０，１１を開いて、本体２内に衣類などの適宜な収容物を収容することができる。そして、この収容後、図３に示すように、内蓋１０を収容物を覆うようにして開口部７を塞ぐことにより、ファスナー９が収容物に触れない状態となる。この状態で、前記ファスナー９を閉めて開口部７を閉塞することにより、閉塞動作において収容物が前記ファスナー９に挟まれることがなく、円滑、かつ確実に開口部７を閉塞することができる（図２参照）。
【００１４】
さらに、図２状態において、外蓋１１を本体２上面側に閉じ合わせて、各面ファスナー１２ａ，１２ｂの雌雄対同士を対接し、前記外蓋１１を前記本体２に係止する。これによって、雨や粉塵が前記本体２内に侵入することを確実に防止できる。
【００１５】
なお、本考案は上述の実施形態に限定されるものではなく、例えば、外蓋１１は必ずしも防水加工を施す必要はない。また、本体２や蓋８に防水加工を施すこともできる。さらに、係止部材は、面ファスナー１２ａ，１２ｂに限らず、ホックなど適宜な部材を使用することができる。またさらに、開口部７は大きく開くほど、収容物の出し入れが容易であるが、三周縁にファスナー９を設けて開閉するほか、開口部７中央に直線状にファスナー９を設ける構成でもよく、この場合には蓋８は不要で、本体２の上面が開閉することになる。
【図面の簡単な説明】
【００１６】
【図１】鞄の開口部を閉塞し外蓋を閉めた状態の斜視図。
【図２】鞄の開口部を閉塞し外蓋を開いた状態の斜視図。
【図３】鞄の開口部を開放し内蓋を閉じた状態の斜視面。
【図４】鞄の開口部を開放し内蓋を開いた状態の斜視図。
【符号の説明】
【００１７】
１      鞄
２      本体
３ａ，３ｂ      取っ手
７      開口部
８      蓋
９      ファスナー
１０      内蓋
１１      外蓋
１２ａ，１２ｂ      面ファスナー
【図１】
0003105525.tif 000003
【図２】
0003105525.tif 000004
【図３】
0003105525.tif 000005
【図４】
0003105525.tif 000006